(57)【要約】【課題】エンジンに供給される燃料に使用不可の異種燃料が混入している場合に、その異種燃料の混入を検出できるようにする。【解決手段】エンジン１１に供給される燃料（例えばガソリン）に異種燃料（例えば軽油、灯油、重油等）が混入すると、未燃ＨＣが増加して排出ガスのＨＣ濃度が高くなるという特性に着目して、排気管２３のうちの触媒２５の上流側に設置したＨＣ濃度センサ３９で検出した排出ガスのＨＣ濃度が所定の正常範囲（例えば正常な燃料が供給されている場合の排出ガスのＨＣ濃度の範囲）から外れたか否かを判定して、排出ガスのＨＣ濃度が正常範囲から外れた場合に、異種燃料（軽油、灯油、重油等）が混入していると判定する。更に、異種燃料が混入していると判定されたときには、排出ガスのＨＣ濃度に応じて異種燃料の混入割合をマップ等により算出することで異種燃料の混入割合を推定する。【選択図】図１
2009036134.tif 000002
【特許請求の範囲】
【請求項１】
内燃機関の排出ガスのＨＣ濃度を検出又は推定するＨＣ濃度判定手段と、
前記ＨＣ濃度判定手段で検出又は推定したＨＣ濃度に基づいて前記内燃機関に供給される燃料に異種燃料が混入しているか否かを判定する異種燃料混入判定手段と
を備えていることを特徴とする内燃機関の異種燃料混入判定装置。
【請求項２】
前記異種燃料混入判定手段により前記異種燃料が混入していると判定されたときに、前記ＨＣ濃度判定手段で検出又は推定したＨＣ濃度に基づいて前記異種燃料の混入割合を推定する異種燃料混入割合推定手段を備えていることを特徴とする請求項１に記載の内燃機関の異種燃料混入判定装置。
【請求項３】
前記内燃機関は、燃料としてガソリンを使用するガソリンエンジンであり、
前記異種燃料混入判定手段は、前記異種燃料として、軽油、灯油、重油のうちの少なくとも１つが混入しているか否かを判定することを特徴とする請求項１又は２に記載の内燃機関の異種燃料混入判定装置。
【請求項４】
前記異種燃料混入判定手段は、前記異種燃料が混入しているか否かを判定する際の判定条件を前記内燃機関の温度又はこれに関連性のある温度情報に応じて変更することを特徴とする請求項１乃至３のいずれかに記載の内燃機関の異種燃料混入判定装置。
【発明の詳細な説明】
【技術分野】
【０００１】
本発明は、内燃機関に供給される燃料に異種燃料が混入しているか否かを判定する機能を備えた内燃機関の異種燃料混入判定装置に関する発明である。
【背景技術】
【０００２】
内燃機関に使用される燃料の性状は、地域や季節等によって異なることがあるため、特許文献１（特開２００６−３２２３３９号公報）に記載されているように、内燃機関の吸気ポートに噴射された燃料のＨＣ濃度（炭化水素濃度）を検出するＨＣ濃度センサを設け、このＨＣ濃度センサで検出したＨＣ濃度に基づいて燃料の性状（例えば燃料の沸点）を判定し、この燃料の性状に基づいて燃料噴射量を設定するようにしたものがある。
【特許文献１】特開２００６−３２２３３９号公報（第２頁等）
【発明の開示】
【発明が解決しようとする課題】
【０００３】
ところで、内燃機関には、ガソリンを使用するガソリンエンジンや、軽油を使用するディーゼルエンジン等がある。近年、運転者が自分で燃料を給油するセルフスタンドが増加しているため、運転者がガソリンエンジンの車両に誤って使用不可の異種燃料である軽油を給油してしまう可能性がある。また、ガソリンに軽油や灯油等の異種燃料を故意に混合した粗悪燃料が給油される可能性もある。地域や季節等によってはガソリンの燃料性状が異なることがあるが、上記特許文献１等の技術により、ガソリンエンジンの車両に燃料性状の異なるガソリンを給油しても正常に運転できるようになっている。
【０００４】
一方、ガソリンエンジンの車両に軽油や灯油等の異種燃料や粗悪燃料が給油されても、燃料タンク内にガソリンがある程度残った状態で給油されるため、近年の電子制御化されたエンジン制御システムでは、燃料タンク内のガソリンに対する異種燃料の混入割合が少なければ、点火時期制御等によってエンジンを運転することが可能であるが、異種燃料の混入割合が多くなるに従って、エンジンの燃焼状態が悪化してエンジン回転が不安定となり、ドライバビリティが悪化するばかりか、最悪の場合、エンジンが停止して走行不能に至る可能性もある。
【０００５】
また、燃料タンク内にガソリンがほとんど残っていない状態で異種燃料や粗悪燃料が給油されても、最初のうちは燃料タンクからエンジンまでの燃料配管内に残っているガソリンがエンジンに供給されるため、暫くはエンジンを正常に運転でき、その後、燃料配管内に残っているガソリンが無くなって異種燃料や粗悪燃料が噴射されるようになった段階で、エンジンの燃焼状態が悪化してエンジン回転が不安定となり、最悪の場合、エンジンが停止して走行不能に至る可能性もある。
【０００６】
また、上記特許文献１の技術は、内燃機関の吸気ポートに噴射された燃料のＨＣ濃度をＨＣ濃度センサで検出する必要があるため、吸気ポート噴射式の内燃機関には適用できるが、筒内噴射式の内燃機関には適用できないという欠点がある。
【０００７】
本発明は、これらの事情を考慮してなされたものであり、従って本発明の目的は、内燃機関に供給される燃料に使用不可の異種燃料が混入している場合に、その異種燃料の混入を検出することができると共に、吸気ポート噴射式の内燃機関と筒内噴射式の内燃機関の両方に適用することができる内燃機関の異種燃料混入判定装置を提供することにある。
【課題を解決するための手段】
【０００８】
上記目的を達成するために、請求項１に係る発明は、内燃機関の排出ガスのＨＣ濃度を検出又は推定するＨＣ濃度判定手段を設け、このＨＣ濃度判定手段で検出又は推定したＨＣ濃度に基づいて内燃機関に供給される燃料に異種燃料が混入しているか否かを異種燃料混入判定手段により判定するようにしたものである。
【０００９】
内燃機関に供給される燃料に使用不可の異種燃料が混入すると、未燃ＨＣが増加して排出ガスのＨＣ濃度が高くなるため、排出ガスのＨＣ濃度を監視すれば、異種燃料が混入しているか否かを精度良く判定することができ、異種燃料が混入している場合に、その異種燃料の混入を検出することができる。これにより、異種燃料が混入している場合に、その異種燃料の混入を検出して警告ランプ等で運転者に知らせることが可能となり、運転者に早急に燃料の入れ替え等の処置を行うように促すことができる。また、異種燃料が混入している場合に、内燃機関の制御を異種燃料混入時用の制御に切り換えて、車両をできるだけ長く安全に走行できるようにすることも可能となる。しかも、本発明は、排出ガスのＨＣ濃度に基づいて異種燃料混入を判定することができるので、吸気ポート噴射式の内燃機関と筒内噴射式の内燃機関の両方に適用することができる。
【００１０】
この場合、請求項２のように、異種燃料が混入していると判定されたときに、ＨＣ濃度判定手段で検出又は推定したＨＣ濃度に基づいて異種燃料の混入割合を異種燃料混入割合推定手段により推定するようにしても良い。一般に、異種燃料の混入割合に応じて未燃ＨＣが増加して排出ガスのＨＣ濃度が高くなるため、排出ガスのＨＣ濃度を用いれば、異種燃料の混入割合を推定することができる。これにより、内燃機関の制御を異種燃料混入時用の制御に切り換える場合に、異種燃料の混入割合に応じた適正な制御を行うことが可能となる。
【００１１】
本発明は、請求項３のように、燃料としてガソリンを使用するガソリンエンジンに適用し、異種燃料として、軽油、灯油、重油のうちの少なくとも１つが混入しているか否かを判定するようにしても良い。このようにすれば、ガソリンエンジンに供給されるガソリンに軽油や灯油や重油が混入している場合に、その軽油や灯油や重油の混入を検出することができる。
【００１２】
また、請求項４のように、異種燃料が混入しているか否かを判定する際の判定条件を内燃機関の温度又はこれに関連性のある温度情報（例えば冷却水温や油温等）に応じて変更するようにしても良い。このようにすれば、内燃機関の温度によって未燃ＨＣの発生量が変化して排出ガスのＨＣ濃度が変化するのに対応して判定条件を適正に変化させることができ、異種燃料混入の判定精度を向上させることができる。ここで、判定条件を変化させる方法は、判定値を補正しても良いし、判定パラメータ（例えばＨＣ濃度）を補正しても良い。
【発明を実施するための最良の形態】
【００１３】
以下、本発明を実施するための最良の形態をガソリンエンジン（燃料としてガソリンを使用するエンジン）に適用して具体化した一実施例を説明する。
まず、図１に基づいてエンジン制御システム全体の概略構成を説明する。
【００１４】
内燃機関であるエンジン１１の吸気管１２の最上流部には、エアクリーナ１３が設けられ、このエアクリーナ１３の下流側に、吸入空気量を検出するエアフローメータ１４が設けられている。このエアフローメータ１４の下流側には、モータ１５によって開度調節されるスロットルバルブ１６と、このスロットルバルブ１６の開度（スロットル開度）を検出するスロットル開度センサ１７とが設けられている。
【００１５】
更に、スロットルバルブ１６の下流側には、サージタンク１８が設けられ、このサージタンク１８に、エンジン１１の各気筒に空気を導入する吸気マニホールド２０が設けられている。各気筒の吸気マニホールド２０の吸気ポート近傍に、それぞれ燃料を噴射する燃料噴射弁２１が取り付けられている。また、エンジン１１のシリンダヘッドには、各気筒毎に点火プラグ２２が取り付けられ、各点火プラグ２２の火花放電によって筒内の混合気に着火される。
【００１６】
一方、エンジン１１の排気管２３には、排出ガスの空燃比又はリッチ／リーン等を検出する排出ガスセンサ２４（空燃比センサ又は酸素センサ等）が設けられ、この排出ガスセンサ２４の下流側に、排出ガスを浄化する三元触媒等の触媒２５が設けられている。更に、排気管２３のうちの触媒２５の上流側には、排出ガスのＨＣ濃度を検出するＨＣ濃度センサ３９（ＨＣ濃度判定手段）が設けられている。このＨＣ濃度センサ３９は、排出ガスセンサ２４の近傍に配置しても良いし、排出ガスセンサ２４よりも上流側や下流側に配置しても良い。
【００１７】
また、エンジン１１のシリンダブロックには、冷却水温を検出する冷却水温センサ２６や、ノッキングを検出するノックセンサ２９が取り付けられている。また、クランク軸２７の外周側には、クランク軸２７が所定クランク角回転する毎にパルス信号を出力するクランク角センサ２８が取り付けられ、このクランク角センサ２８の出力信号に基づいてクランク角やエンジン回転速度が検出される。
【００１８】
燃料（ガソリン）を貯溜する燃料タンク３０内には、燃料を汲み上げる燃料ポンプ３１が設けられている。この燃料ポンプ３１から吐出される燃料は、燃料配管３２を通してデリバリパイプ３３に送られ、このデリバリパイプ３３から各気筒の燃料噴射弁２１に分配される。燃料配管３２のうちの燃料ポンプ３１付近には、フィルタ３４とプレッシャレギュレータ３５が接続され、このプレッシャレギュレータ３５によって燃料ポンプ３１の吐出圧が所定圧力に調圧され、その圧力を越える燃料の余剰分が燃料戻し管３６により燃料タンク３０内に戻されるようになっている。
【００１９】
上述した各種センサの出力は、制御回路（以下「ＥＣＵ」と表記する）３７に入力される。このＥＣＵ３７は、マイクロコンピュータを主体として構成され、内蔵されたＲＯＭ（記憶媒体）に記憶された各種のエンジン制御プログラムを実行することで、エンジン運転状態に応じて燃料噴射弁２１の燃料噴射量や点火プラグ２２の点火時期を制御する。
【００２０】
ところで、ガソリンエンジン１１の車両に、軽油や灯油等の異種燃料や異種燃料を混合した粗悪燃料が給油されても、燃料タンク３０内にガソリンがある程度残った状態で給油されるため、本実施例のような電子制御化されたエンジン制御システムでは、燃料タンク３０内のガソリンに対する異種燃料の混入割合が少なければ、点火時期制御等によってエンジン１１を運転することが可能であるが、異種燃料の混入割合が多くなるに従って、エンジンの燃焼状態が悪化してエンジン回転が不安定となり、ドライバビリティが悪化するばかりか、最悪の場合、エンジン１１が停止して走行不能に至る可能性もある。
【００２１】
そこで、ＥＣＵ３７は、後述する図３の異種燃料混入判定ルーチンを実行することで、排気管２３のうちの触媒２５の上流側に設置したＨＣ濃度センサ３９で検出した排出ガスのＨＣ濃度に基づいてエンジン１１に供給される燃料に使用不可の異種燃料（軽油、灯油、重油等の少なくとも１つ）が混入しているか否かを判定する。
【００２２】
具体的には、エンジン１１に供給されるガソリンに、軽油、灯油、重油等の異種燃料が混入すると、未燃ＨＣが増加して排出ガスのＨＣ濃度が高くなるという特性に着目して、図２のタイムチャートに示すように、ＨＣ濃度センサ３９で検出した排出ガスのＨＣ濃度が所定の正常範囲（例えば正常なガソリンが供給されている場合の排出ガスのＨＣ濃度の範囲）から外れたか否かを判定し、排出ガスのＨＣ濃度が正常範囲から外れたと判定された場合に、異種燃料（軽油、灯油、重油等）が混入していると判定する。これにより、異種燃料が混入しているか否かを精度良く判定することができ、異種燃料が混入している場合に、その異種燃料の混入を速やかに検出することができる。
【００２３】
更に、異種燃料の混入割合に応じて未燃ＨＣが増加して排出ガスのＨＣ濃度が高くなるという特性に着目して、異種燃料が混入していると判定されたときに、排出ガスのＨＣ濃度に応じて異種燃料の混入割合を算出するマップ（図４参照）又は数式等を用いて排出ガスのＨＣ濃度から異種燃料の混入割合を推定する。
【００２４】
以上説明した本実施例の異種燃料混入判定は、ＥＣＵ３７によって図３の異種燃料混入判定ルーチンに従って実行される。以下、このルーチンの処理内容を説明する。
【００２５】
図３に示す異種燃料混入判定ルーチンは、ＥＣＵ３７の電源オン中に所定周期で実行され、特許請求の範囲でいう異種燃料混入判定手段としての役割を果たす。本ルーチンが起動されると、まず、ステップ１０１で、ＨＣ濃度センサ３９で検出した排出ガスのＨＣ濃度を読み込んだ後、ステップ１０２に進み、排出ガスのＨＣ濃度が正常範囲から外れているか否か（排出ガスのＨＣ濃度が上限側判定値よりも大きいか又は下限側判定値よりも小さいか否か）を判定する。ここで、上限側判定値は、例えば、正常な燃料（ガソリン）が供給されている場合の排出ガスのＨＣ濃度の上限値に設定され、下限側判定値は、例えば、正常な燃料（ガソリン）が供給されている場合の排出ガスのＨＣ濃度の下限値に設定されている。
【００２６】
この場合、エンジン温度又はこれに関連性のある温度情報（例えば冷却水温や油温等）に応じて判定値（上限側判定値と下限側判定値）を変更する。これにより、エンジン温度によって未燃ＨＣの発生量が変化して排出ガスのＨＣ濃度が変化するのに対応して判定値を適正に変化させる。
【００２７】
このステップ１０２で、排出ガスのＨＣ濃度が正常範囲内（排出ガスのＨＣ濃度が上限側判定値から下限側判定値までの範囲内）であると判定されれば、ステップ１０３に進み、軽油、灯油、重油等の異種燃料の混入無しと判定して、本ルーチンを終了する。
【００２８】
これに対して、上記ステップ１０２で、排出ガスのＨＣ濃度が正常範囲から外れている（排出ガスのＨＣ濃度が上限側判定値よりも大きいか又は下限側判定値よりも小さい）と判定されれば、ステップ１０４に進み、異種燃料（軽油、灯油、重油等）の混入有りと判定した後、ステップ１０５に進み、運転席のインストルメントパネルに設けられた異種燃料混入警告ランプ３８を点灯したり、或は、運転席のインストルメントパネルの警告表示部（図示せず）に「異種燃料混入」を警告表示して運転者に警告する。これにより、異種燃料の混入を運転者に早期に知らせる。
【００２９】
この後、ステップ１０６に進み、図４に示す異種燃料の混入割合のマップを参照して、現在の排出ガスのＨＣ濃度に基づいて異種燃料の混入割合を算出する。異種燃料の混入割合が高くなるほど、未燃ＨＣが増加して排出ガスのＨＣ濃度が高くなる傾向があるため、図４に示す異種燃料の混入割合のマップは、排出ガスのＨＣ濃度が高くなるほど異種燃料の混入割合が高くなるように設定されている。このステップ１０６の処理が特許請求の範囲でいう異種燃料混入割合推定手段としての役割を果たす。
【００３０】
この後、ステップ１０７に進み、エンジン１１の運転制御（例えば、燃料噴射制御、スロットル制御、トルク制御、空燃比制御、アイドル回転速度制御等のうちの少なくとも１つ）を異種燃料混入時用の制御に切り換えて、車両をできるだけ長く安全に走行できるようにする。その際、異種燃料の混入割合に応じて異種燃料混入時用の制御を実行することで、異種燃料の混入割合に応じた適正な制御を行う。
【００３１】
以上説明した本実施例では、エンジン１１に供給されるガソリンに、軽油、灯油、重油等が混入すると、未燃ＨＣが増加して排出ガスのＨＣ濃度が高くなるという特性に着目して、ＨＣ濃度センサ３９で検出した排出ガスのＨＣ濃度が正常範囲から外れたか否かを判定し、排出ガスのＨＣ濃度が正常範囲から外れたと判定された場合に、異種燃料（軽油、灯油、重油等）が混入していると判定するようにしたので、異種燃料が混入しているか否かを精度良く判定することができ、異種燃料が混入している場合に、その異種燃料の混入を速やかに検出することができる。これにより、異種燃料が混入している場合に、その異種燃料の混入を異種燃料混入警告ランプ３８等で運転者に知らせることが可能となり、運転者に早急に燃料の入れ替え等の処置を行うように促すことができる。また、異種燃料が混入している場合に、エンジン１１の制御を異種燃料混入時用の制御に切り換えて、車両をできるだけ長く安全に走行できるようにすることもできる。
【００３２】
しかも、排出ガスのＨＣ濃度に基づいて異種燃料混入を判定することができるので、吸気ポート噴射式のエンジン１１に限定されず、筒内噴射式のエンジンであっても、ガソリンに異種燃料（軽油、灯油、重油等）が混入している否かを判定することができる。
【００３３】
更に、本実施例では、異種燃料の混入割合に応じて未燃ＨＣが増加して排出ガスのＨＣ濃度が高くなるという特性に着目して、異種燃料が混入していると判定されたときに、排出ガスのＨＣ濃度に基づいて異種燃料の混入割合を推定するようにしたので、異種燃料の混入割合を精度良く推定することができる。これにより、エンジン１１の制御を異種燃料混入時用の制御に切り換えた場合に、異種燃料の混入割合に応じた適正な制御を行うことができる。
【００３４】
しかしながら、本発明は、異種燃料が混入していると判定されたときに、異種燃料の混入割合を推定しない構成としても良いことは言うまでもない。
【００３５】
また、本実施例では、異種燃料が混入しているか否かを判定する際の判定値（上限側判定値と下限側判定値）をエンジン温度又はこれに関連性のある温度情報（例えば冷却水温や油温等）に応じて変更するようにしたので、エンジン温度によって未燃ＨＣの発生量が変化して排出ガスのＨＣ濃度が変化するのに対応して判定値を適正に変化させることができ、異種燃料混入の判定精度を向上させることができる。
【００３６】
尚、上記実施例では、異種燃料が混入しているか否かを判定する際の判定値をエンジン温度又はこれに関連性のある温度情報に応じて変更するようにしたが、判定パラメータ（排出ガスのＨＣ濃度）をエンジン温度又はこれに関連性のある温度情報に応じて補正するようにしても良い。
【００３７】
また、上記実施例では、排出ガスのＨＣ濃度が正常範囲から外れたか否かによって異種燃料が混入しているか否かを判定するようにしたが、異種燃料混入の判定方法は、適宜変更しても良く、例えば、排出ガスのＨＣ濃度の変化量を判定値と比較して異種燃料が混入しているか否かを判定するようにしても良い。
【００３８】
また、上記実施例では、エンジン１１に供給されるガソリンに、異種燃料として、軽油、灯油、重油が混入しているか否かを判定するようにしたが、許容量以上のアルコールが混入しているか否かを判定するようにしても良い。
【００３９】
また、本発明は、図１に示すような吸気ポート噴射式エンジンに限定されず、筒内噴射式エンジンや、吸気ポート噴射用の燃料噴射弁と筒内噴射用の燃料噴射弁の両方を備えたデュアル噴射式のエンジンにも適用して実施できる。
【００４０】
更に、燃料として軽油を使用するディーゼルエンジンに本発明を適用して、排出ガスのＨＣ濃度に基づいてエンジンに供給される軽油に使用不可の異種燃料であるガソリンが混入しているか否かを判定するようにしても良い。
【００４１】
また、燃料として、ガソリン、アルコール、ガソリンにアルコールを混合したアルコール混合燃料をいずれも使用可能なバイフューエルエンジンに本発明を適用して、排出ガスのＨＣ濃度に基づいてエンジンに供給される燃料に使用不可の異種燃料である軽油、灯油、重油等が混入しているか否かを判定するようにようにしても良い。
【００４２】
また、上記実施例では、ＨＣ濃度センサ３９で排出ガスのＨＣ濃度を検出するようにしたが、例えば、排出ガスセンサ２４の出力等に基づいて排出ガスのＨＣ濃度を推定するようにしても良い。
【図面の簡単な説明】
【００４３】
【図１】本発明の一実施例におけるエンジン制御システム全体の概略構成図である。
【図２】異種燃料混入の判定方法を説明するタイムチャートである。
【図３】異種燃料混入判定ルーチンの処理の流れを説明するフローチャートである。
【図４】異種燃料混入割合のマップの一例を概念的に示す図である。
【符号の説明】
【００４４】
１１…エンジン（内燃機関）、１２…吸気管、１６…スロットルバルブ、２１…燃料噴射弁、２２…点火プラグ、２３…排気管、３０…燃料タンク、３１…燃料ポンプ、３２…燃料配管、３７…ＥＣＵ（異種燃料混入判定手段，異種燃料混入割合推定手段）、３８…異種燃料混入警告ランプ、３９…ＨＣ濃度センサ（ＨＣ濃度判定手段）
【図１】
2009036134.tif 000003
【図２】
2009036134.tif 000004
【図３】
2009036134.tif 000005
【図４】
2009036134.tif 000006